(57)【要約】【課題】指袋を備える靴下の左右の区別を確実に行うことができ、また、全体のデザインを損なわない靴下を提供することである。【解決手段】少なくとも２個の指袋を備える左右一対の靴下１において、左右いずれか一方の靴下２ａ，２ｂの裏側に視認可能な印部９を有し、この印部９は、左右いずれか一方の靴下２ａ，２ｂの足挿入口１０ａ，１０ｂの端部から２ｃｍ以内の裏側に、環状に予め定められる間隔を維持して設けるか、又は、環状線として設けられるものである。【選択図】図１
0003134747.tif 000002
【実用新案登録請求の範囲】
【請求項１】
少なくとも２個の指袋を備える左右一対の靴下において、左右いずれか一方の靴下に視認可能な印部を有することを特徴とする靴下。
【請求項２】
前記印部は、前記左右いずれか一方の靴下の裏側に設けられることを特徴とする請求項１に記載の靴下。
【請求項３】
前記印部は、前記左右いずれか一方の靴下の足挿入口の端部から２ｃｍ以内の裏側に環状に予め定められる間隔を維持して設けられることを特徴とする請求項２に記載の靴下。
【請求項４】
前記印部は、前記左右いずれか一方の靴下の足挿入口の端部から２ｃｍ以内の裏側に環状線として設けられることを特徴とする請求項２に記載の靴下。
【考案の詳細な説明】
【技術分野】
【０００１】
本考案は、靴下に関し、特に、指袋を備える靴下に関する。
【背景技術】
【０００２】
一般に、指袋を備える靴下は、五本の指をそれぞれ被包するので、夏場の暑い季節には、指股が蒸れ難く、水虫予防や防臭に効果的であり、また、寒い季節には、暖かく冷え難いので冷え性対策用としても人気があり、最近では、作業向けの素朴なデザインに止まらず、意匠性が高いものや、防臭や保温等の効果をさらに高めたものなどが考えられている。この五本指付きの靴下は、足の親指から小指のそれぞれの指の形状に合わせて指袋が形成されているので、完全に右用と左用が区別されるものである。しかし、これを判別するための手段が特別に設けられているわけでなく、指袋の形状から右用あるいは左用を判断しなければならないものの、洗濯した後、収納前に一対に畳む際に右同士あるいは左同士を一対にして畳んでしまう間違いが発生してしまう。特に、同一品種を多数所有している場合には、このような間違いが発生しやすくなっている。このような不具合を防止すべく、これまでに靴下の右用と左用の判別が可能なものとしていくつかの発明が開示されている。
【０００３】
例えば、特許文献１には、「靴下及び手袋」という名称で、左右を簡単に見分けることが可能な靴下及び手袋に関する発明が開示されている。
この特許文献１に開示された発明は、それぞれ甲部に絵柄が形成された左右一対の靴下において、左右一対の靴下を着用するように配置したときにそれぞれの絵柄が組み合わされて所定の絵柄が形成されるものである。また、それぞれ親指側の甲部に絵柄が形成された左右一対の手袋においては、左右一対の手袋を着用するように配置したときにそれぞれの絵柄が組み合わされて所定の絵柄が形成されるものである。
これらの靴下及び手袋では、靴下又は手袋を左右方向を揃えて正しく並べたときに左側の靴下又は手袋の絵柄と右側の靴下又は手袋の絵柄が組み合わされて所定の絵柄が形成できるように構成されているので、左右を容易に見分けることができる。また、このような構成では、幼い幼児が興味を持つ易いので、幼児への左右方向の教育を効率的に行うことができる。
【０００４】
また、特許文献２には、「靴下」という名称で、靴下に四字成語を表記して学習機能を備えた靴下に関する考案が開示されている。
この特許文献２に開示された考案は、左右一対の靴下において、一方の靴下には漢字で熟語又は四字成語を表記し、他方の靴下にはひらがなで熟語又は四字成語を表記したものである。
この靴下では、「挨拶」や「一生懸命」などの日常的な熟語や四字熟語を、一方には漢字で、他方にはひらがなで示されているので、靴下を着用することによって漢字の学習を行うことができる。したがって、近年、活字離れの傾向がある子供や若年層に漢字を学習する機会を増やすことが可能となる。
【０００５】
そして、特許文献３には、「靴下」という名称で、クッション性を備え、夜間に発光する靴下に関する考案が開示されている。
この特許文献３に開示された考案は、表糸は天然繊維で編成され、裏糸はポリウレタン弾性糸からなるパイル編で編成され、足首部に光反射性を有する材料を配合したシートが縫着したものである。
この靴下では、表糸は天然繊維で編成され、裏糸はポリウレタン弾性糸からなるパイル編で編成されているので、伸縮性が良好で吸湿性と放湿性を備え、夏は蒸れ難く、また、冬は高い保温効果が得られる。そして、足首部に光反射性材料を配合したシートを縫着したので、夜間などの暗い場所では、自動車のライト等によって靴下は発光し、安全性の高い靴下を提供することができる。
【特許文献１】特開２００２−２０９０３号公報
【特許文献２】実用新案登録第３１３１３６４号公報
【特許文献３】実用新案登録第３１１６６１６号公報
【考案の開示】
【考案が解決しようとする課題】
【０００６】
しかしながら、上述の従来技術である特許文献１に開示された発明は、左右一対の靴下には比較的大きい絵柄を設ける必要があり、幼児向けの靴下には適しているが、大人用の靴下としてはデザイン性が劣るという課題があった。また、指袋を備える靴下での左右の見分け方に関する思想は開示されていない。
【０００７】
また、特許文献２に開示された考案は、左右一対の靴下において、左右の靴下それぞれに異なる意匠を付与するので、それぞれの靴下の区別は可能であるが、左右を断定できるものではない。また、特許文献１と同様にデザイン面において高い需要を得にくいという課題があった。
【０００８】
そして、特許文献３に開示された考案は、光反射性を有する材料を配合したシートを足首部に縫着しているが、このシートは光反射を行うものであり、左右の区別のための印として用いられているわけではない。また、足首部ではあるものの外側にも設けられるのでデザイン性では評価は低くなるという課題があった。
【０００９】
本考案はかかる従来の事情に対処してなされたものであり、指袋を備える靴下の左右の区別を判断していることを他人に知られることなく、しかも確実に行うことができ、また、全体のデザインを損なわない靴下を提供することを目的とする。
【課題を解決するための手段】
【００１０】
上記目的を達成するため、請求項１記載の考案である靴下は、少なくとも２個の指袋を備える左右一対の靴下において、左右いずれか一方の靴下に視認可能な印部を有するものである。
このような構成の靴下によれば、左右いずれか一方に設けられる印部は、使用者に左側又は右側の靴下であることを視認させるように作用する。
【００１１】
また、請求項２記載の考案は、請求項１に記載の靴下において、印部は、左右いずれか一方の靴下の裏側に設けられるものである。
このような構成の靴下においては、請求項１に記載の考案の作用に加えて、裏側に設けられる印部は外側には露出しないので、靴下を着用している際には見えず、他人に靴下の左右を判別しているということを悟られないという作用を有する。
【００１２】
そして、請求項３記載の考案は、請求項２に記載の靴下において、印部は、左右いずれか一方の靴下の足挿入口の端部から２ｃｍ以内の裏側に環状に予め定められる間隔を維持して設けられるものである。
このような構成の靴下においては、請求項２に記載の考案の作用に加えて、印部が足挿入口の端部から２ｃｍ以内で環状に設けられているので裏側であっても見え易いという作用を有する。靴下は、常に表側を外側にして着用者が脱ぐとは限らず、裏側が外側になっている場合もあるが、靴下の足挿入口の端部から２ｃｍ以内の裏側であれば、裏側を外側として脱いで洗濯して干した靴下であればもちろん、表側が外側として脱いで洗濯して干された靴下であっても畳む際に視認可能に作用する。
【００１３】
また、請求項４記載の考案は、請求項２に記載の靴下において、印部は、左右いずれか一方の靴下の足挿入口の端部から２ｃｍ以内の裏側に環状線として設けられるものである。
このような構成の靴下においては、請求項３に記載の考案と同様に、印部が見え易いという作用を有する。
【考案の効果】
【００１４】
以上説明したように、本考案の請求項１に記載の靴下においては、指袋を備える靴下において、左右いずれか一方の靴下に印部が設けられているので、左右の区別を確実に行うことができ、着用作業が円滑になる。また、洗濯後の収納時においても指袋を備える靴下が複数ある場合には、右同士又は左同士で誤って揃えることなく、左右を確実に揃えることができる。
【００１５】
また、本考案の請求項２に記載の靴下においては、請求項１に記載の靴下の効果に加えて、印部が裏側に設けられているので、印部が靴下の表側の意匠に影響を及ぼすことがなく、靴下の意匠を自由に設定することができる。また、他人に靴下の左右を判別していることを悟られることがないので、羞恥心や煩わしさなどを感じることなく便利に利用することが可能である。
【００１６】
そして、本考案の請求項３及び請求項４に記載の靴下においては、請求項２に記載の発明で発揮される効果に加えて、印部が足挿入口の端部から２ｃｍ以内の裏側で環状に設けられているので、外側からでも視認し易く、左右の見分けを確実に行うことができる。よって、左用と右用の靴下を一対にまとめて畳むことができ、着用する際にも左用が一対になっていたり、右用が一対になっていることによって、他方の正しい靴下を探さなければならないという煩わしさがない。
【考案を実施するための最良の形態】
【００１７】
以下に、本考案に係る靴下の第１の実施の形態を図１に基づき説明する。（特に、請求項１及び請求項２、請求項４に対応）
図１は、本考案の第１の実施の形態に係る靴下の外形図である。
図１において、靴下１は、右足用靴下２ａと左足用靴下２ｂから構成され、それぞれ五本の指を被包可能な指袋を備えている。左足用靴下２ｂは、足挿入口１０ｂを折り返して示すものである。これらの指袋は五本の指それぞれの形状に合わせて形成されており、親指用指袋３ａ，３ｂは他の指袋よりも大きく形成され、そして、親指用指袋３ａ，３ｂから外側の斜め上方向（図面を平面視して上方向）に向かって弧を描くように人差し指用指袋４ａ，４ｂ、中指用指袋５ａ，５ｂ、薬指用指袋６ａ，６ｂ及び小指用指袋７ａ，７ｂが順に配置され、小指用指袋７ａ，７ｂは小指に合わせて小さく形成されている。
このように指袋を備える靴下１では、足の指を被包するので、綿素材などの吸湿性の優れる材料を用いると、指股が蒸れ難く、水虫の予防に効果的で防臭性も優れるものとなり、また、ウール素材などの材料を用いると保温効果が高く、つま先の冷え防止に効果的なものとなる。
【００１８】
また、指袋を備える靴下１は、前記の通り、それぞれの指に合わせて指袋が形成されるので右用と左用が完全に区別されるものである。本第１の実施の形態では、左足用靴下２ｂの裏側に左用であることを示す印としてライン９が設けられている。このライン９は、左足用靴下２ｂの足挿入口１０ｂに周設されるゴム部８ｂの裏側に環状に設けられ、また、足挿入口１０ｂの端部から２ｃｍ以内に配置されているので、特別に何らかの動作するのではなく、洗濯・乾燥後に、少し開いた足挿入口１０ｂからライン９を視認することができる。
また、このラインは、環状に形成されているので、３６０度いずれの角度からでも視認しやすく、作業者は、左足用靴下２ｂであることを迅速に判別することができ、左用右用の靴下を一対に畳んで収納することができる。
さらに、複数の指袋を備える靴下１を洗濯した後に収納する場合には、特に、右用と左用を間違えやすく、右用だけを一対にして揃えて収納してしまったり、逆に、左用だけを一対にして揃えて収納してしまったりすることが多発する可能性が高いが、本第１の実施の形態における靴下を用いる場合は、左右を簡単かつ確実に見分けることができるので、左右を揃えて収納することが容易である。
【００１９】
なお、必ずしも靴下１の足挿入口１０ｂは開いているとは限らないが、端部から２ｃｍ程度であれば、端部周囲のいずれかは広がっていることが多く、環状に形成されるライン９は多少なりとも見えると考えられる。もちろん、畳む際に、少し開くようにすることで簡単に環状のライン９を視認することができるので、動作を行ったとしても軽微なものに留まる。
そして、本第１の実施の形態では、ライン９を裏側に設けているので、靴下１の外観には全く影響がなく、意匠は自由に設定することができる。また、裏側にライン９を設けることで、一旦着用した後は、外側からは見えることがないので他人に左右の靴下を判別することができる靴下を着用しているというようなことを察知されることがなく、さりげなく左右の靴下を便利に判別が可能である。他人に知られることによる羞恥心や煩わしさがないので、そのような意味でも精神的に負担を少なくすることができる。
また、本実施の形態に係る靴下１を着用する際においても足挿入口１０ｂを少し開くと、いずれの角度からみてもライン９が視認しやすく、着用者は、左足用靴下２ｂであることを迅速に察知することができ、左右を誤着用することがない。
なお、本第１の実施の形態においては、左足用靴下２ｂにライン９を設けているが、右足用靴下２ａにライン９を設けるようにしてもよい。また、ライン９は、一重線以外にも二重線や波線でもよく、その設置方法は、外側に露出しなければどのような手段でもよく、例えば、印刷や刺繍などが挙げられる。
【００２０】
次に、本考案に係る靴下の第２の実施の形態を図２に基づき説明する。（特に、請求項１乃至請求項３に対応）
図２は、本考案の本第２の実施の形態に係る靴下の外形図である。
図２において、靴下１１は、右足用靴下１２ａと左足用靴下１２ｂから構成され、つま先には、五本の指をそれぞれ被包する親指用指袋１３ａ，１３ｂ、人差し指用指袋１４ａ，１４ｂ、中指用指袋１５ａ，１５ｂ、薬指用指袋１６ａ，１６ｂ及び小指用指袋１７ａ，１７ｂを備えている。また、符号１８ａ，１８ｂはゴム部であり、符号２０ａ，２０ｂは足挿入口である。
そして、右足用靴下１２ａには、足挿入口２０ａから２ｃｍ以内でゴム部１８ａの裏側に環状に配列される複数の丸印１９が設けられている。これらの丸印１９は予め靴下１１において右側であることを示すために右足用靴下１２ａに設けられた印であり、使用者は、足挿入口２０ａを開くことなく、あるいは少し開くと、環状に配列されていることからいずれの角度でも丸印１９を視認することができ、右足用靴下１２ａを右用と簡単に確認することができる。
なお、本第２の実施の形態では、右足用靴下１２ａに丸印１９を設けているが、左足用靴下１２ｂに設けるようにしてもよい。また、丸印１９の他にも星や三角や四角などの形状を用いることもできる。そして、漢字やひらがなやアルファベットを用いてもよく、例えば、右足用靴下１２ａには、「右」や「みぎ」や「Ｒｉｇｈｔ」や「Ｒ」を配列したり、また、左足用靴下１２ｂには、「左」や「ひだり」や「Ｌｅｆｔ」や「Ｌ」を配列したりしてもよい。このような漢字やひらがな等で左右を表記できる場合は、右足用靴下１２ａと左足用靴下１２ｂの両方に印を設けてもよい。
また、丸印１９は、ゴム部１８ａの裏側に設けられているので、表側に露出することがなく、表側のデザインに影響を及ぼさないという利点がある。
なお、本実施の形態では、第１の実施の形態における環状のライン９に代えて環状に配列した丸印１９を用いるものであるので、第１の実施の形態における靴下１における作用及び効果は説明しないが同様である。
【００２１】
このように構成された本第１及び第２の実施の形態においては、ラインや丸印等の印を靴下の裏側に設けるだけで、他人に察知されることなく、指袋を備える靴下において左右の区別を簡単且つ確実に見分けることができる。また、靴下のデザインはラインや丸印等の印とは関係なく自由に設定できるので老若男女の嗜好を反映したものを作製することが可能である。
【産業上の利用可能性】
【００２２】
以上説明したように、請求項１乃至請求項４に記載された本考案は、指袋を備える靴下において左右を簡単に見分けることができる靴下を提供可能であり、一般家庭において利用可能である。
【図面の簡単な説明】
【００２３】
【図１】本考案の第１の実施の形態に係る靴下の外形図である。
【図２】本考案の第２の実施の形態に係る靴下の外形図である。
【符号の説明】
【００２４】
１…靴下  ２ａ…右足用靴下  ２ｂ…左足用靴下  ３ａ，３ｂ…親指用指袋  ４ａ，４ｂ…人差し指用指袋  ５ａ，５ｂ…中指用指袋  ６ａ，６ｂ…薬指用指袋  ７ａ，７ｂ…小指用指袋  ８ａ，８ｂ…折り返し部分  ９…ライン  １０ａ，１０ｂ…足挿入口  １１…靴下  １２ａ…右足用靴下  １２ｂ…左足用靴下  １３ａ，１３ｂ…親指用指袋  １４ａ，１４ｂ…人差し指用指袋  １５ａ，１５ｂ…中指用指袋  １６ａ，１６ｂ…薬指用指袋  １７ａ，１７ｂ…小指用指袋  １８ａ，１８ｂ…折り返し部分  １９…丸印  ２０ａ，２０ｂ…足挿入口
【図１】
0003134747.tif 000003
【図２】
0003134747.tif 000004